(57)【要約】【課題】ストロボ本体が開く過程では荷重を加えるが、閉じた位置では、開き方向に殆ど荷重を加えない付勢体を有する機器を提供する。【解決手段】カメラ機器は、キャビネット1上に開閉回動自在に設けられたストロボ本体2と、該ストロボ本体2を開き方向に付勢するネジリバネ7と、該ストロボ本体2に取り付けられたカム部材3と、該カム部材3を付勢する板バネ50を具えている。カム部材3は、ストロボ本体2が開き途中に接する第１カム部30と、更なる開き回動時にストロボ本体2が接する第２カム部31とを連続して具える。ストロボ本体2は、ストロボ本体2の閉じ状態にて板バネ50との間で無負荷状態となる第１の位置と、第１カム部30が板バネ50に接してネジリバネ7によるトルクを減じる向きの荷重を受ける第２の位置と、第２カム部31が板バネ50に接してネジリバネ7によるトルクと同じ向きのトルクを生じさせる荷重を受ける第３の位置との間を回動自在に設けられている。【選択図】図２
2009086104.tif 000002
【特許請求の範囲】
【請求項１】
キャビネット上に開閉回動自在に設けられた突出体と、該突出体を開き方向に付勢する第１の付勢体と、該突出体に取り付けられたカム部材と、該カム部材に接してカム部材を付勢する第２の付勢体を具え、
カム部材は、突出体が開き途中に接する第１カム部と、更なる開き回動時に突出体が接する第２カム部とを連続して具え、
突出体は、突出体の閉じ状態にて第２の付勢体との間で無負荷又は略無負荷状態となる第１の位置と、第１カム部が第２の付勢体に接して第１の付勢体によるトルクを減じる向きの荷重を受ける第２の位置と、第２カム部が第２の付勢体に接して第１の付勢体によるトルクと同じ向きのトルクを生じさせる荷重を受ける第３の位置との間を回動自在に設けられていることを特徴とする機器。
【請求項２】
突出体は、キャビネット上に枢軸を中心として開閉回動するストロボ本体であり、第１の付勢体は、枢軸に嵌まってストロボ本体を開き方向に付勢するネジリバネであり、第２の付勢体は、キャビネット上に設けられてカム部材に接する板バネである、請求項１に記載の機器。
【発明の詳細な説明】
【技術分野】
【０００１】
本発明は、上下に開閉回動する突出体を具えた機器、具体的にはストロボを上下に開閉回動可能に設けたデジタルカメラ等のカメラ機器に関する。
【背景技術】
【０００２】
図４(a)、(b)は、ストロボを上下回動可能に設けた従来のカメラ機器の側面図である(特許文献１参照)。ストロボランプ(210)を具えたストロボ本体(200)は、キャビネット(100)に設けられた枢軸(220)を中心として上下回動し、該ストロボ本体(200)上に設けられた支持軸(25)に回転アーム(８)の一端部が回動可能に嵌まる。該回転アーム(８)の他端部は、キャビネット(100)に開設された横長の長孔(110)に嵌まる。支持軸(25)にはまた、カム部材(６)がネジリバネ(69)に反時計方向に付勢されて回転可能に嵌まり、該カム部材(６)の先端部は、枢軸(220)に嵌められた付勢バネ(９)の脚片(90)に接する。付勢バネ(９)の他方の脚片(91)はストロボ本体(200)上に設けられたストッパ(26)に接する。
図４(a)に示すように、ストロボ本体(200)が上昇して突出した位置では、脚片(90)とカム部材(６)の接点は、支持軸(25)よりもストロボ本体(200)の先端側に位置する。従って、回転アーム(８)には、ネジリバネ(69)のトルクＴに、支持軸(25)から接点までの距離Ｌ２に脚片(90)による荷重Ｐ２を乗じた反時計方向のトルクが加わる。これにより、回転アーム(８)の他端部は、トルクＴよりも大きなトルクで長孔(110)の右端部に圧接され、ストロボ本体(200)のグラ付きが防止される。
一方、図４(b)に示すように、ストロボ本体(200)が下降して閉じた位置では、脚片(90)とカム部材(６)の接点は、支持軸(25)よりもストロボ本体(200)の基端側に位置する。従って、回転アーム(８)にはネジリバネ(69)のトルクＴから、支持軸(25)から接点までの距離Ｌ１に脚片(90)による荷重Ｐ１を乗じた時計方向のトルクを減じたトルクが加わる。従って、使用者がストロボ本体(200)を手で閉じる際に、使用者にはトルクＴよりも弱い力が加わり、使用者は弱い力でストロボ本体(200)を閉じることができる。
【０００３】
【特許文献１】特開平６−９５２１９号公報
【発明の開示】
【発明が解決しようとする課題】
【０００４】
上記の従来例では、ストロボ本体(200)が閉じた位置では、付勢バネ(９)による荷重が加わっている。従って、カメラ機器の製造業者が、製造工程にてストロボ本体(200)をキャビネット(100)に組み付ける際に、作業性が悪い問題がある。
本発明の目的は、突出体であるストロボ本体が開く過程では荷重を加えるが、閉じた位置では、開き方向に殆ど荷重を加えない付勢体を有する機器を提供することにある。また、ストロボ本体を開く途中に、ストロボ本体を開き方向に付勢する力が、弱い状態から強い状態に切り替わる転換点を任意に設定できることも目的とする。
【課題を解決するための手段】
【０００５】
機器は、キャビネット(１)上に開閉回動自在に設けられた突出体と、該突出体を開き方向に付勢する第１の付勢体と、該突出体に取り付けられたカム部材(３)と、該カム部材(３)に接してカム部材(３)を付勢する第２の付勢体を具え、
カム部材(３)は、突出体が開き途中に接する第１カム部(30)と、更なる開き回動時に突出体が接する第２カム部(31)とを連続して具え、
突出体は、突出体の閉じ状態にて第２の付勢体との間で無負荷又は略無負荷状態となる第１の位置と、第１カム部(30)が第２の付勢体に接して第１の付勢体によるトルクを減じる向きの荷重を受ける第２の位置と、第２カム部(31)が第２の付勢体に接して第１の付勢体によるトルクと同じ向きのトルクを生じさせる荷重を受ける第３の位置との間を回動自在に設けられている。
【発明の効果】
【０００６】
突出体の第１の位置、即ち閉じ状態にて、突出体は、第２の付勢体との間で無負荷又は略無負荷状態となる。即ち、突出体は第２の付勢体から殆ど付勢力を受けない。これにより、突出体を閉じ状態でキャビネット(１)に取り付ける際の作業性が良くなる。
突出体が開いて、第２の位置に達すると、第１カム部(30)が第２の付勢体に接して第１の付勢体によるトルクを減じる向きの荷重を受ける。即ち、突出体を開く向きのトルクは小さくなる。これにより、突出体を開いた当初に、突出体が急に開くことが防止される。
更に、突出体が開いて、第３の位置に達すると、第２カム部(31)が第２の付勢体に接して第１の付勢体によるトルクと同じ向きのトルクを生じさせる荷重を受ける。即ち、突出体を開く向きのトルクは大きくなる。これにより、突出体は最後まで確実に開くことができる。
また、突出体を付勢するトルクは、第１カム部(30)と第２カム部(31)との交点を転換点として、大きさが変わる。両カム部(30)(31)はカム部材(３)に形成されており、交点の位置を設計的に容易に変更することができる。
【発明を実施するための最良の形態】
【０００７】
以下、本発明の一実施例を図を用いて、詳述する。
図１(a)、(b)は、本願に係わる突出体を具えた機器、具体的にはストロボを上下回動自在に具えたカメラ機器の斜視図であり、(a)はストロボ本体(２)が上向きに突出した開き状態を、(b)はストロボ本体(２)が下向きに閉じた状態を夫々示す。
キャビネット(１)の前面からは、周知の如く、鏡筒(10)が突出し、以下の記載では鏡筒(10)の撮影方向を前方、逆方向を後方とする。キャビネット(１)上にて鏡筒(10)の上方に、ストロボ本体(２)が枢軸(20)を中心として回動可能に設けられている。枢軸(20)はキャビネット(１)上に立てられた軸受け(11)に嵌まっている。
ストロボ本体(２)は先端部下面にストロボランプ(21)を設け、枢軸(20)に嵌められたネジリバネ(７)によって開き方向に付勢されている。即ち、本例に於けるネジリバネ(７)は、図４(a)、(b)に示した付勢バネ(９)とは異なり、常にストロボ本体(２)を開き方向に付勢する第１の付勢体である。ストロボ本体(２)は一側部又は両側部にレバーである板状のカム部材(３)を設け、本例ではこのカム部材(３)に１つの特徴がある。
尚、ストロボ本体(２)を閉じ状態でキャビネット(１)へ組み付ける時に、ネジリバネ(７)の一方の脚片をストロボ本体(２)を閉じた後に、キャビネット(１)に係止させて、ネジリバネ(７)の開き方向の付勢力が加わらないようにすることができる。
【０００８】
ストロボ本体(２)は閉じ状態で、キャビネット(１)の上面に設けられたストロボ受け片(４)に受けられ、該ストロボ受け片(４)はストロボ本体(２)の基端部から前方に延びる。ストロボ本体(２)の基端部からは、ストロボ受け片(４)よりも下側に位置する庇板(40)が後方に突出する。
ストロボ受け片(４)にはロック爪(41)が設けられ、ストロボ本体(２)の閉じ状態では、ネジリバネの付勢力に抗して、ロック爪(41)がストロボ本体(２)を係止する。
【０００９】
図２(a)、(b)は、図１(a)、(b)の左側面図である。庇板(40)には、薄手の金属板を折曲して形成される付勢体(５)が取り付けられ、該付勢体(５)は上向きに膨らんだ円弧状に形成された板バネ(50)と、庇板(40)に嵌まる嵌合板(51)と、キャビネット(１)の上面にネジ(53)止めされる止め板(52)を一体に具えている。ストロボ本体(２)の回動時には、カム部材(３)の周縁が、板バネ(50)の円弧面に接する。即ち、付勢体(５)はカム部材(３)の周縁に接する第２の付勢体である。
カム部材(３)の周縁は、カム面(32)を形成し、該カム面(32)は枢軸(20)と略同心の円弧状に形成された第１カム部(30)と、第１カム部(30)よりもストロボ本体(２)の閉じ側、即ち時計方向側に位置する直線状の第２カム部(31)を連続して形成している。第１カム部(30)と第２カム部(31)の交点をＫとする。
【００１０】
図２(a)に示すように、ストロボ本体(２)が閉じ状態にあるときには、カム部材(３)の第１カム部(30)は板バネ(50)から僅かに離れている。ストロボ本体(２)のキャビネット(１)への組み付け時には、ネジリバネ(７)の付勢力が加わらないようにすることができるから、この状態では、板バネ(50)から付勢力を受けない無負荷状態となっている。これを第１の位置とする。
ストロボ本体(２)をキャビネット(１)に組み付け、ネジリバネ(７)を正しく取り付けた状態で、ロック爪(41)の係止を解除して、ストロボ本体(２)を開くと、第１カム部(30)が板バネ(50)に接して板バネ(50)から上向きの付勢力を受ける。これを第２の位置とする。
この場合、図３(a)に示すように、カム部材(３)には枢軸(20)に嵌められたネジリバネ(７)による反時計方向のトルクＴが当初から加わっているが、これに加えて、板バネ(50)から受ける付勢力Ｐ１に該Ｐ１から枢軸(20)までの距離Ｌ１を乗じたトルクＴ１が作用する。付勢力Ｐ１を延長した仮想線は枢軸(20)よりも左側を通るから、該トルクＴ１はトルクＴと反対側の時計方向であり、ストロボ本体(２)を付勢するトルクは
Ｔ−Ｔ１＝Ｔ−Ｐ１×Ｌ１
となり、ネジリバネ(７)によるトルクＴよりも小さくなる。これにより、ロック爪(41)による係止を解除して、ストロボ本体(２)を開いた当初に、ストロボ本体(２)が急に開く向きに飛び出すことが防止される。即ち、板バネ(50)はダンパとしての役割を有する。
【００１１】
図２(b)に示すように、ストロボ本体(２)を更に開き、交点Ｋを通過して、第２カム部(31)が板バネ(50)に接すると、板バネ(50)から上向きの付勢力を受ける。これを第３の位置とする。第２カム部(31)は直線状であり、図３(b)に示すように、板バネ(50)から受ける付勢力Ｐ２を延長した仮想線は枢軸(20)よりも右側を通る。従って、付勢力Ｐ２に該Ｐ２から枢軸(20)までの距離Ｌ２を乗じたトルクＴ２はトルクＴと同じく反時計方向であり、ストロボ本体(２)を付勢するトルクは
Ｔ＋Ｔ２＝Ｔ＋Ｐ２×Ｌ２
となり、ネジリバネ(７)によるトルクＴよりも大きくなる。これにより、ストロボ本体(２)が最後まで確実に開くことができる。また、直線状の第２カム部(31)が板バネ(50)と突っ張るように接するから、ストロボ本体(２)が開き完了した状態で、グラ付くことが防止される。
上記の如く、ストロボ本体(２)を付勢するトルクは、交点Ｋを転換点として、大きさが変わる。両カム部(30)(31)は板状のカム部材(３)の周縁に形成されており、交点Ｋの位置を設計的に容易に変更することができる。例えば、ストロボ本体(２)の開き完了直前まで、ストロボ本体(２)を付勢するトルクをトルクＴから減じるように設定することもできる。
【００１２】
本例にあっては、ストロボ本体(２)が閉じ状態にあるときに、カム部材(３)の第１カム部(30)は板バネ(50)から僅かに離れており、ネジリバネの付勢力が加わらないようにすれば、無負荷状態となっている。従って、カメラ機器の製造業者が、製造工程にてストロボ本体(２)をキャビネット(１)に組み付ける際に、板バネ(50)から付勢力を受けることはなく、組立作業性がよい。
ここで、ストロボ本体(２)が閉じ状態にあるときには、無負荷状態となっているとしたが、略無負荷状態であってもよい。この略無負荷状態とは、カム部材(３)の第１カム部(30)は板バネ(50)に接しているが、板バネ(50)が撓まない又は殆ど撓まず、板バネ(50)から付勢力を殆ど受けていない状態を指す。この無負荷状態でも、ストロボ本体(２)の組立作業性及びストロボ本体(２)を閉じる際の操作性が改善される。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
上記例では、突出体として、カメラ機器のストロボ本体を例示したが、これに限定されない。例えば、ホップアップタイプの小型液晶パネル、上下に回動して開閉する蓋体等であってもよい。
【図面の簡単な説明】
【００１４】
【図１】(a)、(b)は、本発明の実施例であるカメラ機器の斜視図であり、(a)はストロボ本体が上向きに突出した開き状態を、(b)はストロボ本体が下向きに閉じた状態を夫々示す。
【図２】(a)、(b)は、図１(a)、(b)の左側面図である。
【図３】(a)、(b)は、カム部材と板バネの関係を示す側面図である。
【図４】(a)、(b)は、ストロボを上下回動可能に設けた従来のカメラ機器の側面図である。
【符号の説明】
【００１５】
(１)  キャビネット
(２)  ストロボ本体
(３)  カム部材
(30)  第１カム部
(31)  第２カム部
(50)  板バネ
【図１】
2009086104.tif 000003
【図２】
2009086104.tif 000004
【図３】
2009086104.tif 000005
【図４】
2009086104.tif 000006